(57)【要約】該発明により人の指のツメのツメ床にマニキュア液を塗布するために特別にデザインしたマニキュア用道具と方法が提供される。該発明は中心ハブと４つ（又は任意の数）の大きさの異なるやや凹型の突起で各端に逆三日月型端を有するマニキュア液アプリケーターとして記載される。【選択図】図５
2008523899.tif 000002
【特許請求の範囲】
【請求項１】
中心ハブと該ハブ周りに相隔てた大きさの違う複数突起部を含み、各該突起部が弓形端部を与えるマニキュアアプリケーター。
【請求項２】
該アプリケーターが該ハブ周りに相隔てた大きさの違う４つの突起部を含む請求項１のアプリケーター。
【請求項３】
該ハブが４つの縁を与え、該縁からそれぞれ延びた一つの突起部を有する請求項２のアプリケーター。
【請求項４】
該突起部が通常凹断面形を与える請求項３のアプリケーター。
【請求項５】
該アプリケーターが曲がりやすい弾力性プラスチック材からなる請求項４のアプリケーター。
【請求項６】
該アプリケーターが単一に形成された請求項５のアプリケーター。
【請求項７】
人のツメのつや出し剤液塗布法で、
中心ハブと該ハブ周りに相隔てた大きさの違う複数の突起部からなり、各該突起部が弓形端部を与えるアプリケーターにマニキュア剤を充填し、該マニキュア剤を該アプリケーター端部の一つに充填し、且つ
該つや出し剤充填アプリケーター端部を人のツメと接触して少なくとも該つや出し剤の一部を該ツメに移す段階からなる
人のツメのつや出し剤液塗布法。
【請求項８】
該接触法が該ツメ上に弓形つや出し剤の縁の形成を含む請求項７の方法。
【請求項９】
該弓形つや出し剤の縁がフレンチマニキュア又はペディキュアの一部として形成される請求項８の方法。
【請求項１０】
該弓形つや出し剤の縁が該つや出し剤で被覆したツメの部分から該つや出し剤で被覆されていないツメの部分を分離する請求項８の方法。
【請求項１１】
該突起部が通常凹型断面形を与える請求項７の方法。
【請求項１２】
該接触段階が該つや出し剤充填の端部が該ツメの形状に合致するように該つや出し剤充填の端部を含む該突起部に圧縮力をかけることを含む請求項１１の方法。
【請求項１３】
該法が更に
マニキュア液を他の該アプリケーター突起部の端部に充填し、且つ
該他のつや出し剤充填アプリケーター端部を人のツメと接触して他の該ツメに該つや出し剤の少なくとも一部を移す段階からなる
請求項７の方法。
【発明の詳細な説明】
【技術分野】
【０００１】
関連出願の相互参照
本出願は２００４年１２月２１日申請の“フレンチチップディップ”と題する米国仮出願６０／６３７，９１１と２００５年２月３日申請の“フレンチチップディップ”と題する米国仮出願６０／６４９，６８０の利点を請求し、この両者をここに文献として組み入れる。
本発明はマニキュア又はネイルポリッシュ法と道具に関する。該発明は人の指のツメ及び足のツメをマニキュア液で塗布するのに用いる新規で有用な方法と道具として記載される。
【背景技術】
【０００２】
フレンチマニキュアとペディキュアは特別な機会と普段着での最も人気のあるツメデザインの一つである（図３）。このデザインは指のツメ（１４）又は足のツメ先端に三日月型に塗った指のツメのつや出し剤（１２）と、次いでピンク層（１６）、透明層又は任意の数の透明なツメの艶だし層からなり、自然な良く手入れした外観が得られる（図３）。
白色の艶だし塗りの伝統的手法は、丸又は平らな毛ブラシでツメ先端に曲線を描くことからなる。この方法は完全な先端を得るには技能と手が震えないことが必要である。マニキュア液を自分自身の手に塗るのに弱い手の力を用いる場合にはより難しくなる。通常その結果幅が変化した不均一な線や曲がった線となる。他の選択肢としては、エアブラシ、アクリルを含む種々の方法か、手で専門的にやってもらうもので費用がかかる。
【発明の開示】
【０００３】
本発明の一実施形態では、中心ハブとこのハブ周りに相隔てた大きさの違う複数突起部からなり、各突起部が弓形端部を与えるマニキュアアプリケーターを提供する。好ましくはこのアプリケーターはこのハブ周りに相隔てた大きさの違う４つの突起部からなる。このアプリケーターハブは好ましくは４つの縁をもち、それぞれが各縁から一つの突起部が延びている。好ましくは各突起部により通常凹断面形が与えられる。好ましくはこのアプリケーターは曲がりやすい弾性プラスチック材で単一に形成する。
本発明の他実施形態では、中心ハブとハブ周りに相隔てた大きさの違う複数突起部からなり、各突起部により弓形端部が得られるアプリケーターにマニキュア液を充填し、マニキュア液をアプリケーター端部の一つに充填し、マニキュア液導入のアプリケーター端部を人の爪と接触させ、このつや出し剤の少なくとも一部をツメに移す段階からなる人のツメへのマニキュア液塗布法を提供する。好ましくは接触段階によりツメに弓形のつや出し剤縁が形成される。好ましくはこの弓形つや出し剤により、つや出し剤が被覆していないツメ部分をつや出し剤が被覆したツメ部分から分離される。接触段階としては、つや出し剤充填端部がそのツメ形状と合致するようつや出し剤充填端部を含む突起部に圧縮力をかけることを含む。残りのツメへのつや出し剤塗りを完成するために上述の方法を繰り返すのが好ましい。このようにマニキュア液を同じ、又は他のアプリケーター突起部の端部に充填することができ、同じ又は他のつや出し剤充填アプリケーター端部を他の人のツメと接触させることでつや出し剤の少なくとも一部を他の人のツメに移すことができる。
【発明を実施するための最良の形態】
【０００４】
本発明による好ましい器具と方法を以下の記載に示す。しかし本記述は説明の目的で提供され、該発明の全体範囲を制限するものでは決してないと理解する必要がある。
本発明の好ましい実施形態は制限はされないが、４つの大きさの異なる薄い柔軟な突起（a、ｂ、ｃ、ｄ）で囲まれた中心ハブ（図５）として記載できる。各突起はやや凹型であり、逆三日月型端（２０）を有する。製作に好ましい材料は制限はされないが、プラスチックやゴムのような軽量の柔軟な材料である。
該発明により白色マニキュア液（１２）のツメ床先端（１４）へのユニークな塗布法が提供される。記載器具（１０）の任意端をマニキュア液に浸し（図１）、次いでツメ床先端（１８）に平行に置き、手早く取り除いて、図３に示すような均等に曲がった線（１４）を残す。この記載法は天然ツメと人工ツメ両者に用いられる。
図４に記載のようにツメ床先端にやや曲がった均等な線（１４）を作ることは該発明の目的である。本塗布法はフレンチマニキュア又はペディキュアとして最も一般に知られているプロセスで用いる。
該発明は中心ハブ（１０）と４つ（又は任意の数）の大きさの異なるやや凹型の突起（a、ｂ、ｃ、ｄ）を有し、各端が逆三日月型端（a、ｂ、ｃ、ｄ）を有する器具として記載される。この道具（１０）はプラスチックやゴムのような薄い、軽量で柔軟な材料でできており、この道具（１０）の端（２０）を少し押しつけて各々のツメ曲線に合うように容易に操作できる。
本発明の更なる利点は各突起（a、ｂ、ｃ、ｄ）が違う形状の指のツメや足のツメに利用できるように互いに異なる大きさであることである。
更なる利点はその突起（a、ｂ、ｃ、ｄ）が特別注文で各使用者に合うように容易に切り取れることである。
【図面の簡単な説明】
【０００５】
【図１】図１はツメ先端塗布に作成のつや出し剤に浸した該道具の図面である。
【図２】図２は指のツメ先（１８）に塗布した時に用いる該道具の図面である。
【図３】図３は指のツメ先に道具を用いた後に得られる結果の図面である。
【図４】図４は合致した曲線（１４）の図面である。
【図５】図５は記載のように用いた該道具の図面である。
【図６】図６はつや出し剤塗布に用いる道具の最外部分（２０）の図面である。
【図１】
2008523899.tif 000003
【図２】
2008523899.tif 000004
【図３】
2008523899.tif 000005
【図４】
2008523899.tif 000006
【図５】
2008523899.tif 000007
【図６】
2008523899.tif 000008
【国際調査報告】
2008523899.tif 000009